(57)【要約】      （修正有）【課題】外観が一般のベッド用マットと同じであるが、マットを昇降可能であるベッド用マットを提供する。【解決手段】上面２２と、底面２４と、少なくとも一つの側面２６と、から構成されるフレームを有するベース１２と、前記ベースに設ける。さらに、少なくとも一つの枠３２を含み、前記枠が前記ベースに対して旋回可能である支持部１３と、前記ベースの前記上面に設けられ、第１枠３２と第２枠とに連動され、上面５２と、底面５４と、周面５８２を構成する少なくとも一つの側面５６と、を含むマット１５と、を含めてベッド用マットを構成する。また、前記マットの前記底面には、前記ベースを収容する溝５８が設けられ、前記溝は、底面と、周面と、を有する。【選択図】図４
0003168273.tif 000002
【実用新案登録請求の範囲】
【請求項１】
上面と、底面と、少なくとも一つの側面と、から構成されるフレームを有するベースと、
前記ベースに設けられ、少なくとも一つの枠を含み、前記枠が前記ベースに対して旋回可能である支持部と、
前記ベースの前記上面に設けられ、前記枠に連動され、上面と、底面と、周面を構成する少なくとも一つの側面と、を含むマットと、
を含むベッド用マットにおいて、
前記マットの前記底面には、前記ベースを収容する溝が設けられ、前記溝は、底面と、周面と、を有することを特徴とするベッド用マット。
【請求項２】
前記マットは前記ベースの前記上面に設けられることを特徴とする、請求項１に記載のベッド用マット。
【請求項３】
前記溝の前記底面の外側にプレートが設けられ、前記プレートは、前記枠と前記溝の前記底面との間に位置することを特徴とする、請求項１又は２に記載のベッド用マット。
【請求項４】
前記プレートは前記溝の前記底面に固定されることを特徴とする、請求項３に記載のベッド用マット。
【考案の詳細な説明】
【技術分野】
【０００１】
本考案は、ベッドに関し、特に、昇降可能なベッド枠を取り囲むマットに関する。
【背景技術】
【０００２】
従来、ユーザの座る姿勢・寝姿勢が調整できるリフトアップベッド、例えば、家庭用ベッドや病床は、ベッドフレーム、該ベッドフレームの隅に設けられる四本のベッド足、ベッドマット、第一リフトアップ装置と第二リフトアップ装置を備えてなり、該ベッドマットは該ベッドフレームの上に、該第一、二リフトアップ装置は該ベッドフレームにあるが、該ベッドフレームと該ベッドマットの間に設けられており、該第一、二リフトアップ装置は、更に、制御ユニット、例えば電気スイッチに接続し、それにより、それぞれ該ベッドマットのプリセット部分を曲げるか、リフトするように設けられることで、ユーザが横になったところから、もたれた姿勢または座った姿勢になり、それにより、ユーザが読書や食事などを簡単に行えるようになる。
【０００３】
一般的には、該ベッドフレームと該ベッドマットはそれぞれ独立したユニットであり、通常、該ベッドフレーム上の該第一、二リフトアップ装置が見える箇所にあるため、見た目がよくない問題があり、また、ユーザがリフトアップベッドを購入する場合、少なくとも該ベッドフレームも購入しなければならない問題があり、それにより、本来使用していたベッドフレームを捨てることになり、またはその他の方法で処理する必要があり、これは浪費になり、環境にもよくないことである。
【考案の概要】
【考案が解決しようとする課題】
【０００４】
本考案の主な目的は、外観が一般のベッド用マットと同じであるが、マットを昇降可能であるベッド用マットを提供することにある。
【０００５】
本考案のもう１つの目的は、ユーザが挟まれる危険性が防止でき、安全性及び美観性が向上できるベッド用マットを提供することにある。
【０００６】
本考案の別の目的は、従来のベッドに設置することができ、省エネルギー及びコストダウンの効果を達成できるベッド用マットを提供することにある。
【課題を解決するための手段】
【０００７】
本考案のベッド用マットによると、上面と、底面と、少なくとも一つの側面と、から構成されるフレームを有するベースと、
前記ベースに設けられ、少なくとも一つの枠を含み、前記枠が前記ベースに対して揺動可能である支持部と、
前記ベースの前記上面に設けられ、第１枠と第２枠とに連動され、上面と、底面と、周面を構成する少なくとも一つの側面と、を含むマットと、
を含むベッド用マットにおいて、
前記マットの前記底面には、前記ベースを収容する溝が設けられ、前記溝は、底面と、周面と、を有することを特徴とする。
【０００８】
本考案のベッド用マットによると、前記マットは前記ベースの前記上面に設けられることを特徴とする。
【０００９】
本考案のベッド用マットによると、前記溝の前記周面は、前記マットの周面を構成する前記側面から一定距離に離れることを特徴とする。
【００１０】
本考案のベッド用マットによると、前記溝の前記底面の外側にプレートが設けられ、前記プレートは、前記枠と前記溝の前記底面との間に位置することを特徴とする。
【００１１】
本考案のベッド用マットによると、前記プレートは前記溝の前記底面に固定されることを特徴とする。
【考案の効果】
【００１２】
本考案のベッド用マットによれば、次のような効果がある。
（１）マットの溝がベースを収容するため、マットを上昇しないときに、その外観が一般のベッド用マットと同じであるが、マットを昇降可能である。
【００１３】
（２）マットと第１枠とは分離できるように設計されるため、ユーザが挟まれる危険性が防止でき、安全性及び美観性が向上できる。
【００１４】
（３）従来のベッドに設置することができ、すなわち、従来のベッドをそのまま流用することができるため、省エネルギー及びコストダウンの効果が達成できる。
【図面の簡単な説明】
【００１５】
【図１】本考案の第１実施例の斜視図である。
【図２】本考案の第１実施例の第１枠及び第２枠が上昇されていない状態の正面図である。
【図３】本考案の第１実施例の第１枠及び第２枠が上昇された状態の正面図である。
【図４】本考案の第１実施例の別の視点から見た斜視図である。
【図５】本考案の第２実施例の斜視図である。
【図６】本考案の第２実施例の別の視点から見た斜視図である。
【考案を実施するための最良の形態】
【００１６】
以下、本考案の実施の形態を図面に基づいて説明する。
（第１実施例）
まず、図１乃至図４を参照する。本考案のベッド用マットは、ベース１２と、第１支持部１３と、第２支持部１４と、マット１５と、を含む。
【００１７】
ベース１２は、上面２２と、底面２４と、少なくとも一つの側面２６と、から構成されるフレームを有する。
【００１８】
第１支持部１３は、ベース１２に設けられ、少なくとも一つの第１枠３２を含み、第１枠３２は、第１回転軸Ｓ１に対応し、ベース１２に対してある角度に旋回可能であり、動力具３４に駆動され可能である。
【００１９】
第２支持部１４は、第１支持部１３に隣接し、ベース１２に設けられ、少なくとも一つの第２枠４２を含み、第２枠４２は、第２回転軸Ｓ２に対応し、ベース１２に対してある角度に旋回可能であり、動力具４４に駆動され可能である。
【００２０】
マット１５は、ベース１２の上面２２に、移動できるように放置されてもいいし、固定されてもよい。マット１５は、第１枠３２と第２枠４２とに連動され、上面５２と、底面５４と、少なくとも一つの側面５６と、を含む。マット１５の底面５４には、ベース１２を収容する溝５８が設けられる。溝５８は、底面５８１と、周面５８２と、を有する。底面５８１は、第１枠３２又は第２枠４２に駆動され可能であり、これにより、マット１５を昇降可能である。
【００２１】
溝５８の周面５８２は、マット１５の周面を構成する前記側面５６から一定距離（例えば１０〜２０センチ）に離れる。これにより、ユーザの手の挟まれによる怪我を防止できる。また、ベース１２の上面２２にマット１５が分離できるように配され、すなわち、第１枠３２にマット１５が分離できるように配される場合には、ユーザの手がマット１５に挟まれるときに、手に加える力がマット１５の重量の一部だけであり、マット１５を捲るとユーザの手を容易に引き出すことができ、マット１５の挟みによる怪我を最小限度に抑えることができ、更に、マット１５の挟みによる怪我を無くすことができる。
【００２２】
第１枠３２の両側にローラ３２１がそれぞれ設けられ、第２枠４２の両側にローラ４２１がそれぞれ設けられる。これにより、本考案のベッド用マットの昇降動作はもっと順調になる。
【００２３】
（第２実施例）
図５及び図６を参照する。溝５８の底面５８１の外側にプレート５８３が固定される。プレート５８３は、第１枠３２と溝５８の底面５８１との間に位置し、マット１５を支持する。
【００２４】
第１枠３２は人体の上半部を支持し、本考案のベッド用マットを昇降しているときに、マット１５とベース１２との間に隙間が存在するため、マット１５の挟みによる怪我を防止できる設計を考慮することが必要である。
【符号の説明】
【００２５】
１２：ベース
１３：第１支持部
１４：第２支持部
１５：マット
１６：上部取囲み具
１７：下部取囲み具
２２：上面
２４：底面
２６：側面
３２：第１枠
３４：動力具
３６：第１プレート
４２：第２枠
４４：動力具
４６：第２プレート
５２：上面
５４：底面
５６：側面
５８：溝
６２：上面
６４：側面
７２：側面
５８１：底面
５８２：周面
５８３：プレート
Ｓ１：第１回転軸
Ｓ２：第２回転軸
【産業上の利用可能性】
【００２６】
本考案は、ベッド用マットに適用することができる。
【図１】
0003168273.tif 000003
【図２】
0003168273.tif 000004
【図３】
0003168273.tif 000005
【図４】
0003168273.tif 000006
【図５】
0003168273.tif 000007
【図６】
0003168273.tif 000008